(57)【特許請求の範囲】
【請求項１】
公衆無線回線網を通じてクラウドサーバー装置と無線通信を行うカメラを備え、前記カメラによって被写体を撮像して生成した画像データが、前記無線通信によって前記クラウドサーバー装置に送信されて格納され、前記クラウドサーバー装置に格納された前記画像データに対応する画像を表示手段に表示する画像表示システムにおいて、
前記クラウドサーバー装置に対する前記カメラの前記無線通信が確立されているか否かを検出する検出手段と、
前記検出手段によって、前記無線通信が確立されていないことを検出したときに、前記カメラによって生成した画像データを記憶手段に記憶する制御を行う記憶制御手段と、
前記検出手段によって、前記無線通信が確立されたことを検出したときに、前記記憶制御手段によって前記記憶手段に記憶された前記画像データを、前記無線通信により、前記クラウドサーバー装置に送信する制御を行う送信制御手段と、を備え、
前記記憶制御手段は、前記カメラによって生成した画像データを、該画像データを生成した時間を識別する識別情報を付与して前記記憶手段に記憶し、
前記無線通信によって、前記送信制御手段が前記記憶手段から前記クラウドサーバー装置に送信し、前記識別情報が付与された前記画像データを、前記識別情報に対応付けて前記クラウドサーバー装置に設けられたデータ格納部に格納する制御を行う格納制御手段と、
前記格納制御手段によって前記識別情報が付与された前記画像データが前記データ格納部に格納されているか否かを判定する判定手段と、
前記判定手段によって、前記データ格納部に前記識別情報が付与された前記画像データが格納されていないと判定したときに、該識別情報に対応する前記画像データを前記記憶手段から前記クラウドサーバー装置に送信することを要求する要求手段と、
前記要求手段によって要求された前記識別情報に対応する画像データを、前記無線通信により、前記記憶手段から前記クラウドサーバー装置に送信する制御を行う要求送信制御手段と、を備え
前記記憶制御手段は、前記検出手段によって前記無線通信が確立されていないことを検出した時刻から所定の時間幅の第１期間を前記識別情報として付与した前記画像データを前記記憶手段に記憶し、
前記要求送信制御手段の制御によって、前記記憶手段から前記クラウドサーバー装置に送信された前記画像データに付与された前記第１期間が、予め定められた時刻から所定の時間幅の基準期間と一致するか否か確認する確認手段を備え、
前記クラウドサーバー装置に、前記基準期間に対応付けて前記データ格納部が設けられ、
前記確認手段によって、前記第１期間が前記基準期間と一致しないことを確認したときに、前記第１期間が付与された前記画像データを、前記識別情報として前記基準期間が付与された前記画像データに編集する編集手段を備え、
前記格納制御手段は、前記編集手段によって編集されて前記基準期間が付与された画像データを、該基準期間に対応付けて設けられた前記データ格納部に格納することを特徴とする画像表示システム。
【発明の詳細な説明】
【技術分野】
【０００１】
この発明は、公衆無線回線網を通じてクラウドサーバー装置と無線通信を行うカメラで被写体を撮像して生成した画像データが、前記無線通信によって前記クラウドサーバー装置に送信されて格納され、該クラウドサーバー装置に格納された前記画像データに対応する画像を表示手段に表示する画像表示システムに関する。
【背景技術】
【０００２】
例えば、特許文献１には、有線回線網や無線回線網のような公衆回線網を通じてクラウドサーバー装置と通信を行う監視用カメラを備え、監視用カメラによって被写体を撮像して生成した画像データが、公衆無線回線網を通じて行われる無線通信により、クラウドサーバー装置に送信されて格納される画像表示システムが開示されている。特許文献１に記載の画像表示システムでは、例えば、クラウドサーバー装置は、監視用カメラから離れた場所に設置されたパーソナルコンピュータに前記画像データを送信し、パーソナルコンピュータのディスプレイに、該画像データに対応する画像を表示する。このようにすることで、監視用カメラによって撮影した画像を、監視用カメラから離れた場所から必要に応じて確認できる。
【先行技術文献】
【特許文献】
【０００３】
【特許文献１】特開２０１４−１３７６７４号公報
【発明の概要】
【発明が解決しようとする課題】
【０００４】
しかしながら、上記の画像表示システムでは、公衆無線回線網の故障等が原因となってクラウドサーバー装置に対するカメラの無線通信が確立できなくなった場合には、カメラによって生成する画像データを、公衆無線回線網を通じてクラウドサーバー装置に送信できなくなることが懸念されていた。
【０００５】
この発明は、このような状況に鑑み提案されたものであって、クラウドサーバー装置に対するカメラの無線通信が確立できないときにカメラによって生成した画像データを、クラウドサーバー装置に送信可能な画像表示システムを提供することを目的とする。
【課題を解決するための手段】
【０００６】
請求項１の発明に係る画像表示システムは、公衆無線回線網を通じてクラウドサーバー装置と無線通信を行うカメラを備え、前記カメラによって被写体を撮像して生成した画像データが、前記無線通信によって前記クラウドサーバー装置に送信されて格納され、前記クラウドサーバー装置に格納された前記画像データに対応する画像を表示手段に表示する画像表示システムにおいて、前記クラウドサーバー装置に対する前記カメラの前記無線通信が確立されているか否かを検出する検出手段と、前記検出手段によって、前記無線通信が確立されていないことを検出したときに、前記カメラによって生成した画像データを記憶手段に記憶する制御を行う記憶制御手段と、前記検出手段によって、前記無線通信が確立されたことを検出したときに、前記記憶制御手段によって前記記憶手段に記憶された前記画像データを、前記無線通信により、前記クラウドサーバー装置に送信する制御を行う送信制御手段と、を備え、
前記記憶制御手段は、前記カメラによって生成した画像データを、該画像データを生成した時間を識別する識別情報を付与して前記記憶手段に記憶し、前記無線通信によって、前記送信制御手段が前記記憶手段から前記クラウドサーバー装置に送信し、前記識別情報が付与された前記画像データを、前記識別情報に対応付けて前記クラウドサーバー装置に設けられたデータ格納部に格納する制御を行う格納制御手段と、前記格納制御手段によって前記識別情報が付与された前記画像データが前記データ格納部に格納されているか否かを判定する判定手段と、前記判定手段によって、前記データ格納部に前記識別情報が付与された前記画像データが格納されていないと判定したときに、該識別情報に対応する前記画像データを前記記憶手段から前記クラウドサーバー装置に送信することを要求する要求手段と、前記要求手段によって要求された前記識別情報に対応する画像データを、前記無線通信により、前記記憶手段から前記クラウドサーバー装置に送信する制御を行う要求送信制御手段と、を備え
前記記憶制御手段は、前記検出手段によって前記無線通信が確立されていないことを検出した時刻から所定の時間幅の第１期間を前記識別情報として付与した前記画像データを前記記憶手段に記憶し、前記要求送信制御手段の制御によって、前記記憶手段から前記クラウドサーバー装置に送信された前記画像データに付与された前記第１期間が、予め定められた時刻から所定の時間幅の基準期間と一致するか否か確認する確認手段を備え、前記クラウドサーバー装置に、前記基準期間に対応付けて前記データ格納部が設けられ、前記確認手段によって、前記第１期間が前記基準期間と一致しないことを確認したときに、前記第１期間が付与された前記画像データを、前記識別情報として前記基準期間が付与された前記画像データに編集する編集手段を備え、前記格納制御手段は、前記編集手段によって編集されて前記基準期間が付与された画像データを、該基準期間に対応付けて設けられた前記データ格納部に格納することを特徴とする。
【発明の効果】
【０００９】
請求項１の発明に係る画像表示システムによれば、仮に、クラウドサーバー装置に対するカメラの無線通信が確立できなくなったとしても、無線通信が確立されると、該無線通信が確立される前に記憶手段に記憶された画像データを、送信制御手段によって、クラウドサーバー装置に送信できる。これにより、無線通信が確立される前の画像データを、該無線通信の確立後にクラウドサーバー装置に送信することが可能になる。
また、クラウドサーバー装置に対するカメラの無線通信が確立できないことが原因となり、判定手段によって、クラウドサーバー装置のデータ格納部に識別情報が付与された画像データが格納されていないと判定した場合でも、要求送信制御手段の制御により、無線通信が確立される前に記憶手段に記憶されて識別情報に対応する画像データを、記憶手段からクラウドサーバー装置に送信することが可能になる。
さらに、クラウドサーバー装置に対するカメラの無線通信が確立する前に、クラウドサーバー装置のデータ格納部と対応付けた基準期間と一致しない第１期間が付与された画像データが、記憶手段に記憶されている場合でも、編集手段及び格納制御手段によって、基準期間に対応付けたデータ格納部に、該基準期間が付与された画像データを編集して格納することが可能になる。
【図面の簡単な説明】
【００１０】
【図１】本発明の実施形態の画像表示システムのブロック図である。
【図２】同画像表示システムを構成する監視用カメラが実行する処理に関するフローチャートである。
【図３】同画像表示システムを構成するクラウドサーバー装置が実行する処理に関する第１フローチャートである。
【図４】その第２フローチャートである。
【図５】第１期間が付与された画像データを基準期間が付与された画像データに編集する処理の説明図である。
【発明を実施するための形態】
【００１１】
本発明の実施形態を図１ないし図５を参照しつつ説明する。図１に示すように画像表示システム１は、監視用カメラ２と、無線通信部３と、クラウドサーバー装置４と、パーソナルコンピュータ５とを備えている。以下に、監視用カメラ２、無線通信部３、クラウドサーバー装置４、パーソナルコンピュータ５の順でそれぞれの構成を説明する。
【００１２】
＜監視用カメラ２、無線通信部３の構成＞
監視用カメラ２は、ここでは工事現場の状況を撮影するものであり、工事現場の所定の位置に立設した単管パイプに取り付けられている。監視用カメラ２は、第１演算処理部７と、撮像素子８と、メモリカードスロット１０と、プログラム格納メモリ１１とを備えている。第１演算処理部７には撮像素子８が接続されている。撮像素子８は、撮影領域の被写体を撮像して生成した画像データを第１演算処理部７に出力する。また、第１演算処理部７には、監視用カメラ２と別個に設けた無線通信部３が接続されている。この無線通信部３は、携帯電話網１５の基地局１６と無線通信を行い、この携帯電話網１５に繋がるインターネット網１７に接続されている。インターネット網１７にはクラウドサーバー装置４が接続されている。よって、監視用カメラ２に接続された無線通信部３とクラウドサーバー装置４との無線通信を確立することが可能になる。さらに、無線通信部３は、該無線通信が確立されているか否かを監視し、該無線通信が確立されていると、フラグを１にセットする。一方、無線通信部３は、前記無線通信が確立されていなければ、フラグを０にセットする。なお、監視用カメラ２は本発明のカメラの一例であり、携帯電話網１５は本発明の公衆無線回線網の一例である。
【００１３】
図１に示すように第１演算処理部７には、メモリカードスロット１０及びプログラム格納メモリ１１も接続されている。メモリカードスロット１０には、記憶媒体（ここではＳＤカード）が挿入される。プログラム格納メモリ１１には、第１演算処理部７から出力される画像データをＳＤカードに記憶する記憶制御プログラムや、前記画像データをクラウドサーバー装置４に送信する送信制御プログラムが格納されている。第１演算処理部７は、記憶制御プログラムに基づいて、前記画像データをＳＤカードに記憶させる。なお、ＳＤカードは本発明の記憶手段の一例である。
【００１４】
＜クラウドサーバー装置４の構成＞
図１に示すクラウドサーバー装置４は、監視用カメラ２の第１演算処理部７から出力された画像データを格納するものである。クラウドサーバー装置４は、第２演算処理部１９と、メモリ２０とを備えている。第２演算処理部１９はインターネット網１７に接続され、この第２演算処理部１９にはメモリ２０が接続されている。メモリ２０は、基準期間別データ格納フォルダ２１と、プログラム格納フォルダ２２とを備えている。基準期間別データ格納フォルダ２１は、予め定められた時刻から所定の時間幅（ここでは１分間）に当たる基準期間に対応付けて画像データを格納するようにしている。本実施形態では、この基準期間を、クラウドサーバー装置４に対する監視用カメラ２の無線通信が確立された時刻（００時００分００秒）から２週間後迄を１分毎に等分割した各分割期間とした。また、プログラム格納フォルダ２２には、第１演算処理部７から携帯電話網１５及びインターネット網１７を介して第２演算処理部１９に送信された画像データを基準期間別データ格納フォルダ２１に格納する格納制御プログラム、画像データが格納されていない基準期間別データ格納フォルダ２１が散在するときに該基準期間別データ格納フォルダ２１に格納されていない画像データを第１演算処理部７に要求する要求プログラム、後述するように識別情報が前記基準期間と一致しないときに画像データを編集する編集プログラムが記憶されている。そして、第２演算処理部１９は、格納制御プログラムに基づいて、第１演算処理部７から出力された画像データを基準期間別データ格納フォルダ２１に格納する。なお、基準期間別データ格納フォルダ２１は本発明のデータ格納部の一例である。
【００１５】
＜パーソナルコンピュータ５の構成＞
図１に示すように、パーソナルコンピュータ５はインターネット網１７に接続されている。パーソナルコンピュータ５は、図示しないディスプレイを備えている。クラウドサーバー装置４は、パーソナルコンピュータ５を認証すると、基準期間別データ格納フォルダ２１に格納された画像データをパーソナルコンピュータ５に送信する。パーソナルコンピュータ５は、画像表示プログラムに基づいて、受信した画像データに対応する工事現場の画像をディスプレイに表示する。なお、パーソナルコンピュータ５のディスプレイは本発明の表示手段の一例である。
【００１６】
続いて、図２を用い、監視用カメラ２の第１演算処理部７が実行する処理の例を説明する。以下では、クラウドサーバー装置４に対する監視用カメラ２の無線通信が確立されているときに第１演算処理部７が画像データをクラウドサーバー装置４に送信する処理、前記無線通信が確立されていないときに第１演算処理部７が画像データをＳＤカードに記憶する処理、第１演算処理部７がＳＤカードに記憶された画像データをクラウドサーバー装置４に送信する処理を順番に説明する。
【００１７】
＜第１演算処理部７が画像データをクラウドサーバー装置４に送信する処理＞
監視用カメラ２に電源が供給されると、第１演算処理部７は、プログラム格納メモリ１１に記憶された送信制御プログラム、記憶制御プログラムに基づいて、図２のスタートからエンドまでの処理を繰り返し実行する。前記電源が供給されると、第１演算処理部７は、無線通信部３にセットされているフラグを検出し、このフラグが１にセットされて、クラウドサーバー装置４に対する監視用カメラ２の無線通信が確立されているか否かを判断する（Ｓ１）。なお、第１演算処理部７は本発明の検出手段の一例である。
Ｓ１において、前記無線通信が確立されていると判断した場合には、第１演算処理部７は、Ｓ２で、後述する画像データ送信要求処理（Ｓ１２、図４参照。）により、ＳＤカードに記憶された画像データ（記憶画像データ）の送信要求がされていないと判断すると、撮影画像データ送信制御処理（Ｓ３）を実行する。撮影画像データ送信制御処理（Ｓ３）では、第１演算処理部７によって、撮像素子８から順次受信した画像データを、有線通信にて無線通信部３に送信する処理を実行する。この画像データには、無線通信部３に送信されるときに、該画像データを生成した時間を識別する識別情報（ここでは上述した基準期間）が付与されている。さらに、撮影画像データ送信制御処理（Ｓ３）では、有線通信にて画像データを送信した後に、無線通信部３に対し、前記画像データを無線通信にて携帯電話網１５（基地局１６）及びインターネット網１７を介してクラウドサーバー装置４に送信することを指示する処理を実行する。これにより、無線通信部３は、基準期間が付された画像データをクラウドサーバー装置４に送信する。
【００１８】
＜第１演算処理部７が画像データをＳＤカードに記憶する処理＞
上記のＳ１において、第１演算処理部７は、無線通信部３にセットされているフラグが０であることを検出し、無線通信が確立されていないと判断した場合には、画像データ記憶制御処理（Ｓ５）を実行する。画像データ記憶制御処理（Ｓ５）では、前記無線通信が確立されていないときに、第１演算処理部７によって、撮像素子８から受信した画像データをＳＤカードに記憶する処理を実行する。この画像データには、記憶制御プログラムに基づいて、監視用カメラ２に電源が供給された後で、前記無線通信が確立されていないと判断された時刻から所定の時間幅（ここでは１分間）に当たる第１期間が付与されている。また、第１期間が前記基準期間と一致する状況が発生した場合には、該基準期間が画像データに付与される。なお、第１演算処理部７は本発明の記憶制御手段の一例である。
【００１９】
＜第１演算処理部７がＳＤカードに記憶された画像データをクラウドサーバー装置４に送信する処理＞
前回のＳ１において、無線通信が確立されていないと判断した後で、次回のＳ１において、無線通信が確立されていると判断した場合には、撮影画像データ送信制御処理（Ｓ３）の後に、Ｓ７において、画像データ記憶制御処理（Ｓ５）により、第１期間又は基準期間が付与された画像データがＳＤカードに記憶されているか否かを判断する。Ｓ７において、ＳＤカードに画像データが記憶されていると判断されると、記憶画像データ送信制御処理（Ｓ８）を実行する。記憶画像データ送信制御処理（Ｓ８）では、ＳＤカードに記憶されている画像データを、有線通信にて無線通信部３に送信する処理を実行する。さらに、記憶画像データ送信制御処理（Ｓ８）では、前記有線通信にて前記画像データを送信した後に、無線通信部３に対し、前記画像データを無線通信にて携帯電話網１５（基地局１６）及びインターネット網１７を介してクラウドサーバー装置４に送信することを指示する処理を実行する。このようにしたことで、前回のＳ１において、クラウドサーバー装置４に対する監視用カメラ２の無線通信が確立できなかったと判断しても、次回のＳ１において、前記無線通信が確立されていると判断すると、該無線通信が確立される前に画像データ記憶制御処理（Ｓ５）によりＳＤカードに記憶された画像データを、記憶画像データ送信制御処理（Ｓ８）により、クラウドサーバー装置４に送信できる。よって、前記無線通信が確立される前の画像データを、該無線通信の確立後にクラウドサーバー装置４に送信することが可能になる。なお、第１演算処理部７は本発明の送信制御手段の一例である。
【００２０】
次に、図２ないし図４を用い、第１演算処理部７や、クラウドサーバー装置４の第２演算処理部１９が実行する処理の例を説明する。以下では、無線通信部３からクラウドサーバー装置４に送信された画像データを第２演算処理部１９が基準期間別データ格納フォルダ２１に格納する処理、画像データが格納されていない基準期間別データ格納フォルダ２１が散在しているときに第２演算処理部１９が、該基準期間別データ格納フォルダ２１に格納する画像データの送信を要求する処理、この要求処理に応じ第１演算処理部７がＳＤカードに記憶された画像データをクラウドサーバー装置４に送信する処理、無線通信部３からクラウドサーバー装置４に送信された画像データに付与された識別情報が基準期間と一致しないときに第２演算処理部１９が、基準期間別データ格納フォルダ２１に格納する画像データを編集する処理を順番に説明する。
【００２１】
＜第２演算処理部１９が画像データを基準期間別データ格納フォルダ２１に格納する処理＞
第２演算処理部１９は、プログラム格納フォルダ２２（図１参照。）に格納された格納制御プログラム、要求プログラム、編集プログラム（例えばｆｆｍｐｅｇ）に基づいて、図３及び図４のスタートからエンドまでの処理を繰り返し実行する。図３に示すように第２演算処理部１９は、撮影画像データ送信制御処理（Ｓ３）によって、無線通信部３から、基準期間が付与された撮影画像データ（撮像素子８によって生成した画像データ）を受信したか否かを判断する（Ｓ９）。Ｓ９において、撮影画像データを受信していないと判断した場合には、引き続きＳ９の判断を行う。一方Ｓ９において、撮影画像データを受信したと判断した場合には、第２演算処理部１９は、画像データ格納制御処理（Ｓ１０）を実行する。画像データ格納制御処理（Ｓ１０）では、Ｓ９によって受信して基準期間が付与された各撮影画像データを、該基準期間に対応付けて基準期間別データ格納フォルダ２１に格納する処理を実行する。
【００２２】
＜第２演算処理部１９が、基準期間別データ格納フォルダ２１に格納する画像データの送信を要求する処理＞
図４に示すように第２演算処理部１９は、Ｓ１１において、第１期間又は基準期間が付与された画像データがＳＤカードに記憶されているか否かを判断する。これは、クラウドサーバー装置４に対する監視用カメラ２の無線通信が確立できない期間が存在したことで、画像データがＳＤカードに記憶されていることから、画像データが格納されていない基準期間別データ格納フォルダ２１が散在することを確認できるからである。なお、第２演算処理部１９は本発明の判定手段の一例である。
このＳ１１では、ＳＤカードにアクセスし、アクセスしたＳＤカードに画像データが記憶されているか否かを判断する。Ｓ１１において、ＳＤカードに画像データが記憶されていると判断した場合には、画像データ送信要求処理（Ｓ１２）を実行する。画像データ送信要求処理（Ｓ１２）では、第２演算処理部１９が、第１演算処理部７に対し、インターネット網１７、携帯電話網１５、無線通信部３を経由して画像データ出力要求信号を出力し、ＳＤカードから第２演算処理部１９に画像データを送信することを要求する処理を実行する。なお、第２演算処理部１９は本発明の要求手段の一例である。
【００２３】
＜第１演算処理部７が、画像データ出力要求信号に応じ、ＳＤカードに記憶された画像データをクラウドサーバー装置４に送信する処理＞
図２のＳ２において第１演算処理部７が、画像データ出力要求信号を受信することにより、図４のＳ１１で、画像データが格納されていない基準期間別データ格納フォルダ２１が散在することを確認したと判断した場合には、記憶画像データ送信制御処理（Ｓ８）を実行する。記憶画像データ送信制御処理（Ｓ８）では、第１演算処理部７が、ＳＤカードから読み出して第１期間又は基準期間が付与された画像データを、有線通信にて無線通信部３に送信する処理を実行する。さらに、記憶画像データ送信制御処理（Ｓ８）では、前記有線通信にて前記画像データを送信した後に、無線通信部３に対し、前記画像データを無線通信にて携帯電話網１５（基地局１６）及びインターネット網１７を介してクラウドサーバー装置４に送信することを指示する処理を実行する。このようにしたことで、クラウドサーバー装置４に対する監視用カメラ２の無線通信が確立できないことが原因となり、Ｓ１１において、画像データが格納されていない基準期間別データ格納フォルダ２１が散在すると判断した場合でも、記憶画像データ送信制御処理（Ｓ８）により、前記無線通信が確立される前にＳＤカードに記憶されて、第１期間又は基準期間が付与された画像データを、ＳＤカードからクラウドサーバー装置４に送信することが可能になる。なお、第１演算処理部７は本発明の要求送信制御手段の一例である。
【００２４】
図４のＳ１３において、記憶画像データ送信制御処理（Ｓ８）によりクラウドサーバー装置４に送信された画像データを受信したと判断すると、第２演算処理部１９は、この画像データに付与された識別情報が基準期間と一致するか否かを判断する（Ｓ１４）。Ｓ１４では、各画像データに付与された識別情報の初期時刻に００秒が含まれ（例えば、００時００分００秒）、識別情報の終了時刻が初期時刻の１分後（例えば、００時０１分００秒）である場合には、識別情報が基準期間と一致すると判断する。これに対し、前記初期時刻に００秒が含まれず（例えば、００時００分４５秒）、前記終了時刻が該初期時刻の１分後（例えば、００時０１分４５秒）となるように、識別情報が第１期間である場合には、識別情報が基準期間と一致しないと判断する。
Ｓ１４において、識別情報が基準期間と一致すると判断した場合には、第２演算処理部１９は、画像データ格納制御処理（Ｓ１５）を実行する。画像データ格納制御処理（Ｓ１５）では、Ｓ１３によって受信して基準期間が付与された各画像データを、該基準期間に対応付けて基準期間別データ格納フォルダ２１に格納する処理を実行する。なお、第２演算処理部１９は、本発明の格納制御手段の一例である。
【００２５】
＜第２演算処理部１９が、基準期間別データ格納フォルダ２１に格納する画像データを編集する処理＞
Ｓ１４において第２演算処理部１９が、記憶画像データ送信制御処理（Ｓ８）によりＳＤカードからクラウドサーバー装置４に送信された画像データに第１期間（識別情報）が付与されており、識別情報が基準期間と一致しないと判断すると、格納画像データ編集処理（Ｓ１８）を実行する。なお、第２演算処理部１９は本発明の確認手段の一例である。
格納画像データ編集処理（Ｓ１８）では、第２演算処理部１９が、ｆｆｍｐｅｇにより、第１期間が付与された画像データを基準期間が付与された画像データに編集する処理を実行する。その具体例を、図５を用いて説明する。
図５には、画像データＡに第１期間（００時０１分３０秒〜００時０２分３０秒）が付与され、画像データＢに第１期間（００時０２分３０秒〜００時０３分３０秒）が付与された場合を示した。格納画像データ編集処理（Ｓ１８）では、画像データＡから指定した時間（００時０２分００秒〜００時０２分３０秒）の画像データを切り出し、画像データＢから指定時間（００時０２分３０秒〜００時０３分００秒）の画像データを切り出す。その後、切り出した２つの画像データを結合させる。このようにして、画像データＡ，Ｂから基準期間（００時０２分００秒〜００時０３分００秒）が付与された画像データを編集する。なお、第２演算処理部１９は本発明の編集手段の一例である。
【００２６】
第２演算処理部１９は、格納画像データ編集処理（Ｓ１８）の後に画像データ格納制御処理（Ｓ１５）を実行する。画像データ格納制御処理（Ｓ１５）では、格納画像データ編集処理（Ｓ１８）により編集され、基準期間が付与された画像データを、該基準期間に対応付けて基準期間別データ格納フォルダ２１に格納する処理を実行する。この画像データ格納制御処理（Ｓ１５）が終了することにより、図４に示す例では、前回のＳ１において、クラウドサーバー装置４に対する監視用カメラ２の無線通信が確立できなかったと判断し、画像データ記憶制御処理（Ｓ５）により第１期間が付与された画像データＡ，ＢがＳＤカードに記憶される。このため、次回のＳ１において前記無線通信が確立されていると判断される以前に、基準期間ではなく第１期間が付与された画像データＡ，ＢがＳＤカードに記憶されている場合でも、格納画像データ編集処理（Ｓ１８）により編集され、基準期間が付与された画像データを、該基準期間に対応させて基準期間別データ格納フォルダ２１に格納することが可能になる。
【００２７】
＜本実施形態の効果＞
本実施形態の画像表示システム１では、前回のＳ１（図２参照。）において、クラウドサーバー装置４に対する監視用カメラ２の無線通信が確立できなかったと判断しても、次回のＳ１において、前記無線通信が確立されていると判断すると、該無線通信が確立される前に画像データ記憶制御処理（Ｓ５）によりＳＤカードに記憶された画像データを、記憶画像データ送信制御処理（Ｓ８）により、クラウドサーバー装置４に送信できる。よって、前記無線通信が確立される前の画像データを、該無線通信の確立後にクラウドサーバー装置４に送信することが可能になる。
【００２８】
また、クラウドサーバー装置４に対する監視用カメラ２の無線通信が確立できないことが原因となり、Ｓ１１（図４参照。）において、画像データが格納されていない基準期間別データ格納フォルダ２１が散在すると判断した場合でも、記憶画像データ送信制御処理（Ｓ８）により、前記無線通信が確立される前にＳＤカードに記憶されて、画像データが格納されていない基準期間別データ格納フォルダ２１に対応する基準期間が付与された画像データを、ＳＤカードからクラウドサーバー装置４に送信することが可能になる。この他にも、記憶画像データ送信制御処理（Ｓ８）により、第１期間が付与された画像データを、ＳＤカードからクラウドサーバー装置４に送信することが可能になる。
【００２９】
さらに、前回のＳ１において、クラウドサーバー装置４に対する監視用カメラ２の無線通信が確立できなかったと判断し、画像データ記憶制御処理（Ｓ５）により第１期間が付与された画像データＡ，ＢがＳＤカードに記憶される。このため、次回のＳ１において前記無線通信が確立されていると判断される以前に、基準期間ではなく第１期間が付与された画像データＡ，ＢがＳＤカードに記憶されている場合でも、格納画像データ編集処理（Ｓ１８）により編集され、基準期間が付与された画像データを、該基準期間に対応させて基準期間別データ格納フォルダ２１に格納することが可能になる。
【００３０】
本発明は、上述した実施形態に限定されるものではなく発明の趣旨を逸脱しない範囲内において構成の一部を適宜変更して実施できる。例えば、監視用カメラ２は、撮影領域に光を照射する照明装置を備え、夜間においても撮影領域の被写体を撮影可能なものとしてもよい。また、監視用カメラ２の設置場所は、工事現場に限らず、不審者を監視するために、駐車場、店舗内、学校やビルの出入口等の遠方から監視が必要な場所であってもよい。加えて、上述した実施形態とは異なり、監視用カメラ２を複数台設置して、異なる複数の位置を監視してもよい。さらに、上述した実施形態とは異なり、クラウドサーバー装置４は、パーソナルコンピュータ５以外にも、インターネット網１７に接続されたスマートフォン、タブレットコンピュータ、携帯電話を認証し、工事現場の画像をスマートフォンの画面等に表示してもよい。さらには、上述した実施形態とは異なり画像表示システムは、第１演算処理部７を監視用カメラ２とは別個に設けて構成したり、第２演算処理部１９をクラウドサーバー装置と別個に設けた装置に内蔵させて構成してもよい。
【符号の説明】
【００３１】
１・・画像表示システム、２・・監視用カメラ、４・・クラウドサーバー装置、５・・パーソナルコンピュータ、７・・第１演算処理部、１５・・携帯電話網、１９・・第２演算処理部。
【図１】
0006486654.tif 000002
【図２】
0006486654.tif 000003
【図３】
0006486654.tif 000004
【図４】
0006486654.tif 000005
【図５】
0006486654.tif 000006